(57)【要約】【課題】安価なデジタル放送受信装置を提供する。【解決手段】第１〜第４のアナログ受信用テレビ受像機３〜６を操作する第１のリモコン信号を送信する第１〜第４のリモコン部３４、４４、５４、６４と、この第１〜第４のリモコン部３４、４４、５４、６４から出力された第２のリモコン信号が入力される本体用リモコン受信部２６と、この本体用リモコン受信部２６からの制御信号が入力される本体用制御部２５とを設け、第１のリモコン信号により第１〜第４のアナログ受信用テレビ受像機３〜６の受信チャンネルを選局し、第２のリモコン信号により第１〜第４のデジタル用受信回路７、１１、１５、１９の受信チャンネルを制御するとともに第１〜第４のアナログ用送信回路８、１２、１６、２０の送信チャンネルが第１〜第４のアナログ受信用テレビ受像機３〜６の選局チャンネルと同じになるように制御する。  これにより所期の目的を達成することができる。【選択図】図１
2008066917.tif 000002
【特許請求の範囲】
【請求項１】
デジタル放送信号をアナログ放送信号に変換するデジタル放送受信装置であって、前記デジタル放送信号が入力されるアンテナ入力端子と、このアンテナ入力端子から入力される前記デジタル放送信号を分配する第１の分配器と、この第１の分配器から出力されるデジタル放送信号を受信するＭ個（Ｍは１から始める自然数）のデジタル用受信回路と、このＭ個のデジタル用受信回路から出力されるベースバンド信号がそれぞれ入力されるＭ個のアナログ用送信回路と、このＭ個のアナログ用送信回路から出力されるアナログ放送信号がそれぞれ供給されるとともに前記アナログ放送信号を受信するＮ個（Ｎは１からＭまでの自然数）のアナログ受信用テレビ受像機をそれぞれ接続できる出力端子とを備え、第Ｋ番目（Ｋは１からＮまでの自然数）の前記アナログ受信用テレビ受像機を操作する第１のリモートコントロール（以下リモコンという）信号を送信する第Ｋ番目のリモコン部と、この第Ｋ番目のリモコン部から出力された第２のリモコン信号が入力される本体用リモコン受信部と、この本体用リモコン受信部からの制御信号が入力される本体用制御部とを設け、第Ｋ番目の前記リモコン部から送信される前記第１のリモコン信号により第Ｋ番目の前記アナログ受信用テレビ受像機の受信チャンネルを選局し、前記第Ｋ番目のリモコン部から送信される前記第２のリモコン信号により第Ｋ番目の前記デジタル用受信回路の受信チャンネルを制御するとともに第Ｋ番目の前記アナログ用送信回路の送信チャンネルが第Ｋ番目の前記アナログ受信用テレビ受像機の選局チャンネルと同じになるように制御するデジタル放送受信装置。
【請求項２】
第Ｋ番目のデジタル用受信回路は、デジタル放送信号を受信する第Ｋ番目のデジタルチューナ部と、この第Ｋ番目のデジタルチューナ部からの出力が接続されるとともにベースバンド信号が出力される第Ｋ番目のデジタル信号処理部から構成される請求項１に記載のデジタル放送受信装置。
【請求項３】
第Ｋ番目のアナログ用送信回路は、ベースバンド信号が入力される第Ｋ番目のアナログ変調部と、この第Ｋ番目のアナログ変調部から出力されるベースバンド信号を変調した変調信号が入力されるとともに、第Ｋ番目のアナログ受信用テレビ受像機の受信チャンネルに周波数変換した信号を出力する第Ｋ番目のアップコンバータ部とから構成される請求項１に記載のデジタル放送受信装置。
【請求項４】
第Ｋ番目のリモコン部からそれぞれ送信される第２のリモコン信号に電波を用いる請求項１に記載のデジタル放送受信装置。
【請求項５】
本体用リモコン受信部の代わりに第Ｋ番目のアナログ受信用テレビ受像機に近接して第２のリモコン信号を受信する第Ｋ番目の電灯線リモコン受信部をそれぞれ設け、前記第２のリモコン信号による制御信号が電灯線を介して本体用制御部に供給される請求項１に記載のデジタル放送受信装置。
【請求項６】
第Ｋ番目のリモコン部から出力される第２のリモコン信号にリモコン部毎のアドレスを設け、前記リモコン部同士の混信を防止する請求項１に記載のデジタル放送受信装置。
【請求項７】
本体用制御部は、デジタル放送信号とアナログ放送信号との対応関係を表すチャンネル対応テーブルに基づいて第Ｋ番目のデジタル用受信回路と第Ｋ番目のアナログ用送信回路を制御する請求項１に記載のデジタル放送受信装置。
【請求項８】
第Ｋ番目のデジタル用受信回路の出力は、第Ｋ番目のアナログ用送信回路の入力に接続する代わりに、第Ｋ番目のアナログ受信用テレビ受像機の映像音声出力部の入力に供給される請求項１に記載のデジタル放送受信装置。
【請求項９】
第Ｋ番目のアナログ用送信回路と第Ｋ番目の出力端子との間を直接接続する代わりに、前記第Ｋ番目のアナログ用送信回路のそれぞれの出力信号が入力される合成器と、この合成器からの出力信号が第Ｋ番目の出力端子にそれぞれ接続される第２の分配器とを設け、第Ｋ番目のリモコン部からの第２のリモコン信号により動作中でない第Ｌ番目（Ｌは１からＭまでの自然数）のデジタル用受信回路および第Ｌ番目のアナログ用送信回路を動作させて選局制御する請求項１に記載のデジタル放送受信装置。
【請求項１０】
第Ｌ番目のデジタル用受信回路の出力は、第Ｌ番目のアナログ用送信回路の入力に接続される代わりに、第Ｋ番目のアナログ受信用テレビ受像機の映像音声出力部の入力に供給される請求項９に記載のデジタル放送受信装置。
【請求項１１】
アンテナ入力端子と分配器との間に電子スイッチを設け、この電子スイッチにより前記アンテナ入力端子からの信号を第１の分配器の入力または第２の分配器の入力のいずれかに供給する請求項９に記載のデジタル放送受信装置。
【発明の詳細な説明】
【技術分野】
【０００１】
本発明は、アナログ放送信号の受信可能なテレビ受像機によりデジタル放送信号を受信できるデジタル放送受信装置に関するものである。
【背景技術】
【０００２】
国内においては、地上波アナログ放送が行われてきた。この地上波アナログ放送とは、アナログの映像信号と音声信号とをアナログ変調し、ＵＨＦ、ＶＨＦ帯に用いた放送である。
【０００３】
ところが、電波の効率的な利用の面より２０１１年７月には、現在の地上波アナログ放送が完全に停止され、地上波デジタル放送に全面的に切り替わる予定になっている。この地上波デジタル放送への切替えにより、地上波アナログ放送を受信してきた現行のアナログ受信用テレビ受像機では、デジタル放送を受信できなくなる。
【０００４】
このため、例えばアンテナとアナログ受信用テレビ受像機との間には、デジタル放送信号からアナログ放送信号に変換するデジタル放送受信装置を設けることが必要となった。
【０００５】
なお、この出願の発明に関連する先行技術文献情報としては、例えば、特許文献１が知られている。
【特許文献１】実用新案登録第３１１９７４５号公報
【発明の開示】
【発明が解決しようとする課題】
【０００６】
このように、デジタル放送受信装置を例えば家庭内にあるすべてのアナログ受信用テレビ受像機のアンテナ入力部に設置すればよい。しかしながら、アナログ受信用テレビ受像機の台数分だけのデジタル放送受信装置が必要となるので、高価なものとなってしまう。
【０００７】
そこで本発明は、安価なデジタル放送受信装置を提供することを目的とするものである。
【課題を解決するための手段】
【０００８】
そしてこの目的を達成するために本発明は、第Ｋ番目（Ｋは１からＮまでの自然数）のアナログ受信用テレビ受像機を操作する第１のリモコン信号を送信する第Ｋ番目のリモコン部と、この第Ｋ番目のリモコン部から出力された第２のリモコン信号が入力される本体用リモコン受信部と、この本体用リモコン受信部からの制御信号が入力される本体用制御部とを設け、第Ｋ番目の前記リモコン部から送信される前記第１のリモコン信号により第Ｋ番目の前記アナログ受信用テレビ受像機の受信チャンネルを選局し、第Ｋ番目の前記リモコン部から送信される前記第２のリモコン信号により第Ｋ番目の前記デジタル用受信回路の受信チャンネルを制御するとともに第Ｋ番目の前記アナログ用送信回路の送信チャンネルが第Ｋ番目の前記アナログ受信用テレビ受像機の選局チャンネルと同じになるように制御するものである。
【０００９】
これにより所期の目的を達成するものである。
【発明の効果】
【００１０】
以上の如く本発明は、第Ｋ番目（Ｋは１からＮまでの自然数）のアナログ受信用テレビ受像機を操作する第１のリモコン信号を送信する第Ｋ番目のリモコン部と、この第Ｋ番目のリモコン部から出力された第２のリモコン信号が入力される本体用リモコン受信部と、この本体用リモコン受信部からの制御信号が入力される本体用制御部とを設け、第Ｋ番目の前記リモコン部から送信される前記第１のリモコン信号により第Ｋ番目の前記アナログ受信用テレビ受像機の受信チャンネルを選局し、第Ｋ番目の前記リモコン部から送信される前記第２のリモコン信号により第Ｋ番目の前記デジタル用受信回路の受信チャンネルを制御するとともに第Ｋ番目の前記アナログ用送信回路の送信チャンネルが第Ｋ番目の前記アナログ受信用テレビ受像機の選局チャンネルと同じになるように制御するものである。
【００１１】
これにより、複数個のリモコン部からの第２のリモコン信号を受信するための一つの本体用リモコン受信部と、この本体用リモコン受信部からの制御信号が入力される一つの本体用制御部と、この本体用制御部により制御される複数個からなるデジタル用受信回路およびアナログ用送信回路とを一つの筐体に収納したデジタル放送受信装置を提供できる。
【００１２】
このような安価なデジタル放送受信装置を用いることにより、地上波デジタル放送を現行のアナログ受信用テレビ受像機で受信することができる。
【００１３】
また、従来使用した分配器の代わりにデジタル放送受信装置を用いればよいので、アンテナの配線を容易に行うことができる。
【発明を実施するための最良の形態】
【００１４】
以下、本発明の実施の形態について図面に基づいて説明する。
【００１５】
（実施の形態１）
図１は、デジタル放送信号をアナログ放送信号に変換するデジタル放送受信装置１のブロック図である。このデジタル放送受信装置１は、例えば最大４台のアナログ受信用テレビ受像機３〜６が接続することが可能な場合について説明する。
【００１６】
なお、従来から用いていたアナログ受信用テレビ受像機３〜６を用いてデジタル放送信号を受信するためには、デジタル放送受信装置１および第１〜第４のリモコン部３４、４４、５４、６４を新たに用意する必要がある。
【００１７】
さらに、アンテナ２からの引き込み端子の設けられた部屋には、第１のアナログ受信用テレビ受像機３とデジタル放送受信装置１が設置されており、この部屋以外の部屋に、第２〜第４のアナログ受信用テレビ受像機４〜６が設置されているとして、以下説明する。
【００１８】
図１において、デジタル放送受信装置１は、アンテナ２が接続されるアンテナ入力端子２ａと、第１〜第４のアナログ受信用テレビ受像機３〜６のそれぞれの入力端子３ａ〜６ａがそれぞれ接続される出力端子１０、１４、１８、２２とが設けられている。
【００１９】
デジタル放送受信装置１は、アンテナ入力端子２ａに接続された増幅器２３と、この増幅器２３の出力が接続された分配器２４と、この分配器２４の出力２４ａが接続された第１のデジタル用受信回路７と、この第１のデジタル用受信回路７の出力が接続された第１のアナログ用送信回路８と、この第１のアナログ用送信回路８の出力が接続された出力端子１０と、分配器２４の出力２４ｂが接続された第２のデジタル用受信回路１１と、この第２のデジタル用受信回路１１の出力が接続された第２のアナログ用送信回路１２と、この第２のアナログ用送信回路１２の出力が接続された出力端子１４と、分配器２４の出力２４ｃが接続された第３のデジタル用受信回路１５と、この第３のデジタル用受信回路１５の出力が接続された第３のアナログ用送信回路１６と、この第３のアナログ用送信回路１６の出力が接続された出力端子１８と、分配器２４の出力２４ｄが接続された第４のデジタル用受信回路１９と、この第４のデジタル用受信回路１９の出力が接続された第４のアナログ用送信回路２０と、この第４のアナログ用送信回路２０の出力が接続された出力端子２２とから構成されている。
【００２０】
第１のデジタル用受信回路７は、分配器２４の出力２４ａに入力が接続された第１のデジタルチューナ部７ａと、この第１のデジタルチューナ部７ａの出力に接続された第１のデジタル信号処理部７ｂとから構成されている。
【００２１】
第１のアナログ用送信回路８は、第１のデジタル信号処理部７ｂの出力が接続された第１のアナログ変調部８ａと、この第１のアナログ変調部８ａの出力が接続された第１のアップコンバータ部８ｂとから構成されている。また、第１のアップコンバータ部８ｂの出力は、出力端子１０に接続されている。
【００２２】
第２のデジタル用受信回路１１は、分配器２４の出力２４ｂに入力が接続された第２のデジタルチューナ部１１ａと、この第２のデジタルチューナ部１１ａの出力に接続された第２のデジタル信号処理部１１ｂとから構成されている。
【００２３】
第２のアナログ用送信回路１２は、第２のデジタル信号処理部１１ｂの出力が接続された第２のアナログ変調部１２ａと、この第２のアナログ変調部１２ａの出力が接続された第２のアップコンバータ部１２ｂとから構成されている。また、第２のアップコンバータ部１２ｂの出力は、出力端子１４に接続されている。
【００２４】
第３のデジタル用受信回路１５は、分配器２４の出力２４ｃに入力が接続された第３のデジタルチューナ部１５ａと、この第３のデジタルチューナ部１５ａの出力に接続された第３のデジタル信号処理部１５ｂとから構成されている。
【００２５】
第３のアナログ用送信回路１６は、第３のデジタル信号処理部１５ｂの出力が接続された第３のアナログ変調部１６ａと、この第３のアナログ変調部１６ａの出力が接続された第３のアップコンバータ部１６ｂとから構成されている。また、第３のアップコンバータ部１６ｂの出力は、出力端子１８に接続されている。
【００２６】
第４のデジタル用受信回路１９は、分配器２４の出力２４ｄに入力が接続された第４のデジタルチューナ部１９ａと、この第４のデジタルチューナ部１９ａの出力に接続された第４のデジタル信号処理部１９ｂとから構成されている。
【００２７】
第４のアナログ用送信回路２０は、第４のデジタル信号処理部１９ｂの出力が接続された第４のアナログ変調部２０ａと、この第４のアナログ変調部２０ａの出力が接続された第４のアップコンバータ部２０ｂとから構成されている。また、第４のアップコンバータ部２０ｂの出力は、出力端子２２に接続されている。
【００２８】
また、本体用リモコン受信部２６から出力される制御信号は、本体用制御部２５に供給される。この本体用制御部２５から出力される制御信号により、第１〜第４のデジタルチューナ部７ａ、１１ａ、１５ａ、１９ａの受信チャンネルがそれぞれ決定され、第１〜第４のアップコンバータ部８ｂ、１２ｂ、１６ｂ、２０ｂの送信チャンネルがそれぞれ決定される。
【００２９】
そして、第１のアナログ受信用テレビ受像機３は、出力端子１０に接続された入力端子３ａと、この入力端子３ａに対して第１のアナログチューナ部３１、第１の信号処理部３２、第１の映像音声出力部３３がこの順に接続されている。また、第１のアナログ受信用テレビ受像機３には、リモコン制御するための第１のリモコン部３４が同一の部屋内に設けられている。
【００３０】
この第１のリモコン部３４から出力される第１のリモコン信号は、第１のリモコン受信部３５に入力される。この第１のリモコン受信部３５から出力される制御信号は、第１の制御部３６に入力される。この第１の制御部３６から出力される制御信号により、第１のアナログチューナ部３１の受信チャンネルあるいは音量等が決定される。
【００３１】
同様に、第２のアナログ受信用テレビ受像機４は、出力端子１４に接続された入力端子４ａと、この入力端子４ａに対して第２のアナログチューナ部４１、第２の信号処理部４２、第２の映像音声出力部４３がこの順に接続されている。この第２のアナログ受信用テレビ受像機４には、リモコン制御するための第２のリモコン部４４が同一の部屋内に設けられている。
【００３２】
この第２のリモコン部４４から出力される第１のリモコン信号は、第２のリモコン受信部４５に入力される。この第２のリモコン受信部４５から出力される制御信号は、第２の制御部４６に入力される。この第２の制御部４６から出力される制御信号により、第２のアナログチューナ部４１の受信チャンネルあるいは音量等が決定される。
【００３３】
同様に、第３のアナログ受信用テレビ受像機５は、出力端子１８に接続された入力端子５ａと、この入力端子５ａに対して第３のアナログチューナ部５１、第３の信号処理部５２、第３の映像音声出力部５３がこの順に接続されている。この第３のアナログ受信用テレビ受像機５には、リモコン制御するための第３のリモコン部５４が同一の部屋内に設けられている。
【００３４】
この第３のリモコン部５４から出力される第１のリモコン信号は、第３のリモコン受信部５５に入力される。この第３のリモコン受信部５５から出力される制御信号は、第３の制御部５６に入力される。この第３の制御部５６から出力される制御信号により、第３のアナログチューナ部５１の受信チャンネルあるいは音量等が決定される。
【００３５】
同様に、第４のアナログ受信用テレビ受像機６は、出力端子２２に接続された入力端子６ａと、この入力端子６ａに対して第４のアナログチューナ部６１、第４の信号処理部６２、第４の映像音声出力部６３がこの順に接続されている。この第４のアナログ受信用テレビ受像機６には、リモコン制御するための第４のリモコン部６４が同一の部屋内に設けられている。
【００３６】
この第４のリモコン部６４から出力される第１のリモコン信号は、第４のリモコン受信部６５に入力される。この第４のリモコン受信部６５から出力される制御信号は、第４の制御部６６に入力される。この第４の制御部６６から出力される制御信号により、第４のアナログチューナ部６１の受信チャンネルあるいは音量等が決定される。
【００３７】
以上のように構成されたデジタル放送受信装置１、および第１〜第４のリモコン部３４、４４、５４、６４を用いた場合のアナログ受信用テレビ受像機３〜６によるデジタル放送信号の視聴について説明する。
【００３８】
第１〜第４のリモコン部３４、４４、５４、６４からは、第１〜第４のアナログ受信用テレビ受像機３〜６をリモコン操作するそれぞれの第１のリモコン信号と、デジタル放送受信装置１をリモコン操作するそれぞれの第２のリモコン信号とが送信される。
【００３９】
まず、第１のリモコン信号について説明する。この第１のリモコン信号は、近くに設置してある第１〜第４のアナログ受信用テレビ受像機３〜６をリモコン操作するためであり、従来用いられている例えば光あるいは赤外線を用いることができる。
【００４０】
また、この第１のリモコン信号は、第１〜第４のリモコン受信部３５、４５、５５、６５によりそれぞれ受信されたのち、第１〜第４の制御部３６、４６、５６、６６にそれぞれ入力される。この第１〜第４の制御部３６、４６、５６、６６からそれぞれ出力される制御信号により、第１〜第４のアナログチューナ部３１、４１、５１、６１の受信チャンネルがそれぞれ決定される。
【００４１】
なお、第１〜第４のリモコン部３４、４４、５４、６４は、従来から使用したリモコン部と同じリモコン信号を送信できるように設定する。このために、例えば第１〜第４のリモコン部３４、４４、５４、６４と第１〜第４のアナログ受信用テレビ受像機とをそれぞれ対応させた状態で、リモコンのモード設定（テレビメーカ、型番により異なる）を行う。これにより、第１〜第４のアナログ受信用テレビ受像機３〜６は、第１〜第４のリモコン部３４、４４、５４、６４によりリモコン操作できる。
【００４２】
これに対して、第２のリモコン信号は、例えば別部屋あるいは別階にあるデジタル放送受信装置１に対して、送信する必要がある。従って、例えば電波を用いることにより、送信が可能となる。
【００４３】
この第２のリモコン信号は、本体用リモコン受信部２６により受信される。この本体用リモコン受信部２６から出力される制御信号は、本体用制御部２５に入力される。この本体用制御部２５から出力される制御信号により、第１〜第４のデジタルチューナ部７ａ、１１ａ、１５ａ、１９ａの受信チャンネルおよび第１〜第４のアップコンバータ部８ｂ、１２ｂ、１６ｂ、２０ｂの送信チャンネルが決定される。
【００４４】
この第１〜第４のアップコンバータ部８ｂ、１２ｂ、１６ｂ、２０ｂの送信チャンネルは、第１〜第４のアナログ受信用テレビ受像機３〜６の受信チャンネルと同じに設定する。これにより、出力端子１０、１４、１８、２２を介して供給されるアナログ放送信号を視聴できる。
【００４５】
また、第１〜第４のデジタルチューナ部７ａ、１１ａ、１５ａ、１９ａの受信チャンネルと第１〜第４のアナログチューナ部３１、４１、５１、６１の受信チャンネルは、デジタル放送チャンネルとアナログ放送チャンネルとを対応させたチャンネル対応テーブルに基づいて決定することができる。このチャンネル対応テーブルとは、従来のアナログ放送のチャンネルがデジタル放送のどのチャンネルに相当するかを表したものである。
【００４６】
例えば本体用制御部２５内に放送地域毎のチャンネル対応テーブルを持たすことができる。また、この対応テーブルの代わりに、外部からメモリーカードで入力してもよく、あるいは、リモコン部のキー入力としてもよい。
【００４７】
なお、第２のリモコン信号には、第１〜第４のリモコン部のそれぞれのアドレス信号を入力しておく。これにより、第１〜第４のリモコン部３４、４４、５４、６４のいずれからの送信信号かを判別できる。このアドレス信号により、第１〜第４のアナログ受信用テレビ受像機３〜６にそれぞれ対応したデジタル放送受信装置１内のデジタル受信回路およびアナログ用送信回路を選択できる。この選択したデジタル受信回路およびアナログ用送信回路を動作状態とし、選局制御を行うことができる。
【００４８】
このようにして、第１のリモコン信号により、第１〜第４のアナログ受信用テレビ受像機３〜６の受信チャンネルが決定される。また、第２のリモコン信号により、第１〜第４のデジタル用受信回路７、１１、１５、１９の受信チャンネルを決定するとともに、第１〜第４のアナログ用送信回路８、１２、１６、２０の送信チャンネルが決定される。
【００４９】
以上は、デジタル放送受信装置１は、例えば最大４台のアナログ受信用テレビ受像機３〜６を接続することが可能な場合について説明した。このデジタル放送受信装置１は、例えば最大Ｍ台のアナログ受信用テレビ受像機が接続可能な場合についても同様である。
【００５０】
すなわち、この最大Ｍ台（Ｍは１から始まる自然数）のアナログ受信用テレビ受像機に対応させて、最大Ｍ個のリモコン部を設ける。さらに、デジタル放送受信装置１には、Ｍ台のデジタル用受信装置とＭ台のアナログ用送信装置とＭ個の出力端子を設ける。また、接続されるアナログ受信用テレビ受像機の台数はＮ台（Ｎは１からＭまでの自然数）とすればよい。
【００５１】
以上のように、受信チャンネルと送信チャンネルが決定されたデジタル放送受信装置１の入力端子２ａに対して、アンテナ２で受信されたデジタル放送信号およびアナログ放送信号の高周波信号が供給される。この高周波信号は増幅器２３に入力される。この増幅器２３から出力される高周波信号は分配器２４に入力される。この分配器２４により分配された高周波信号のうちデジタル放送信号は、第１〜第４のデジタルチューナ部７ａ、１１ａ、１５ａ、１９ａにより、選局され、低い周波数に変換され、かつ一定レベルの出力信号となって出力される。
【００５２】
この出力信号は、第１〜第４のデジタル信号処理部７ｂ、１１ｂ、１５ｂ、１９ｂにより映像信号と音声信号であるベースバンド信号にそれぞれ変換される。このベースバンド信号は、第１〜第４のアナログ変調部８ａ、１２ａ、１６ａ、２０ａにより変調された信号に変換される。この変調された信号は、第１〜第４のアップコンバータ部８ｂ、１２ｂ、１６ｂ、２０ｂによりＶＨＦ帯あるいはＵＨＦ帯のアナログ放送信号に変換され、出力端子１０、１４、１８、２２からそれぞれ出力される。
【００５３】
これら出力端子１０、１４、１８、２２から出力されるアナログ放送信号は、第１〜第４のアナログチューナ部３１、４１、５１、６１に入力される。これらアナログチューナ部３１、４１、５１、６１により、選局され、低い周波数に変換され、かつ一定レベルの出力信号となってそれぞれ出力される。この出力信号は、第１〜第４の信号処理部３２、４２、５２、６２により映像信号、音声信号からなるベースバンド信号に変換される。
【００５４】
このベースバンド信号は、第１から第４の映像音声出力部３３、４３、５３、６３にそれぞれ入力されることにより、希望の放送番組を視聴できることになる。
【００５５】
以上のように、従来例ではアナログ受信用テレビ受像機と同じ数のデジタル放送受信装置が必要とされたのに対して、一つの本体用制御部２５と、一つの本体用リモコン受信部２６と、一つの電源部を共用とし、一つの筐体に収納した安価なデジタル放送受信装置を提供できる。
【００５６】
（実施の形態２）
図２は本発明の実施の形態２におけるデジタル放送受信装置８１のブロック図である。実施の形態１では、第１〜第４のアップコンバータ部８ｂ、１２ｂ、１６ｂ、２０ｂと出力端子１０、１４、１８、２２との間は直接接続されている。
【００５７】
これに対して、本実施の形態では、第１〜第４のアップコンバータ部８ｂ、１２ｂ、１６ｂ、２０ｂから出力端子１０、１４、１８、２２に向かって合成器８５、増幅器８６、分配器８７がこの順に接続されている点が異なる。
【００５８】
図２において、第１〜第４のアップコンバータ部８ｂ、１２ｂ、１６ｂ、２０ｂの出力信号は、合成器８５により合成される。この合成信号は、増幅器８６により増幅される。この増幅された信号は分配器８７により分配されたのち、出力端子１０、１４、１８、２２からそれぞれ出力されることになる。
【００５９】
このように合成器８５、分配器８７を接続することにより、第１〜第４のアップコンバータ部８ｂ、１２ｂ、１６ｂ、２０ｂからの出力信号は出力端子１０、１４、１８、２２のいずれからも出力されることになる。
【００６０】
これにより、出力端子１０、１４、１８、２２に接続される第１〜第４のアナログ受信用テレビ受像機３〜６に設けられた第１〜第４のリモコン部３４、４４、５４、６４からの第２のリモコン信号にはアドレス信号が不要となる。
【００６１】
つまり、一つのデジタル用受信回路と一つのアナログ用送信回路からなるデジタルアナログ信号変換ユニットのうちで動作中でないデジタルアナログ信号変換ユニットを選択して動作させ、選局制御させることができる。このようにすることにより、リモコン部のアドレス信号が不要となるので、配線が容易となる。
【００６２】
（実施の形態３）
図３は本発明の実施の形態３におけるデジタル放送受信装置１８１のブロック図である。実施の形態２に対して、本実施の形態では、増幅器２３と分配器２４との間に電子スイッチ１２３を設け、この電子スイッチ１２３により増幅器２３からの信号を分配器２４の入力または分配器８７の入力のいずれかに供給する点が異なる。
【００６３】
図３において、増幅器２３の出力には、電子スイッチ１２３の共通端子が接続されている。この電子スイッチ１２３の一方の出力端子には分配器２４の入力が接続され、他方の出力端子は分配器８７の入力に接続されている。
【００６４】
この電子スイッチ１２３により、アンテナ２により受信したアナログ放送信号あるいはデジタル放送信号は、分配器２４の入力側あるいは分配器８７の入力側に選択的に供給できる。
【００６５】
これにより、２０１１年７月以前には、アンテナ２により受信したアナログ放送信号あるいはデジタル放送信号を電子スイッチ１２３により分配器８７に直接入力する。これにより、従来の第１〜第４のアナログ受信用テレビ受像機３〜６によりアナログ放送信号を受信できる。
【００６６】
また、２０１１年７月以降には、アンテナ２により受信したアナログ放送信号あるいはデジタル放送信号を電子スイッチ１２３により分配器２４に入力する。これにより、従来の第１〜第４のアナログ受信用テレビ受像機３〜６によりデジタル放送信号を受信できる。
【００６７】
（実施の形態４）
図４は本発明の実施の形態４におけるデジタル放送受信装置２８１のブロック図である。実施の形態１では、第１〜第４のリモコン部３４、４４、５４、６４からそれぞれ出力される第２のリモコン信号を本体用リモコン受信部２６で受信している。
【００６８】
これに対して、本実施の形態では、第１〜第４のリモコン部３４、４４、５４、６４からそれぞれ出力される第２のリモコン信号を第１〜第４の電灯線リモコン受信部２３４、２４４、２５４、２６４で受信し、それぞれの第２のリモコン信号からの制御信号はＡＣ１００Ｖの電灯線を介して本体用制御部２２５に供給している点が異なる。
【００６９】
図４において、第１〜第４のリモコン部３４、４４、５４、６４からそれぞれ出力される第２のリモコン信号を例えば光、赤外線により送信する。この送信信号を第１〜第４の電灯線リモコン受信部２３４、２４４、２５４、２６４で受信する。
【００７０】
さらに、第１〜第４の電灯線リモコン受信部２３４、２４４、２５４、２６４からの制御信号は、それぞれのＡＣコンセント２３４ａ、２４４ａ、２５４ａ、２６４ａに接続された電灯線に重畳する。この電灯線に重畳された制御信号は、デジタル放送受信装置２８１のＡＣコンセント２８１ａを介して本体用制御部２２５に供給される。
【００７１】
このように、光、赤外線を用いて送信するので、第１〜第４のリモコン部３４、４４、５４、６４からの出力信号レベルは小さくてよい。従って、第１〜第４のリモコン部３４、４４、５４、６４の電池の消費が小さくてすむ。
【００７２】
なお、第１〜第４のデジタル用受信回路７、１１、１５、１９の出力は、第１〜第４のアナログ用送信回路８、１２、１６、２０の入力に接続する代わりに、第１〜第４のアナログ受信用テレビ受像機３〜６にそれぞれ設けられた映像音声出力部３３、４３、５３、６３の入力にそれぞれ供給してもよい。
【００７３】
このようにすると、デジタル放送受信装置２８１から第１〜第４のアナログ受信用テレビ受像機３〜６への接続ケーブルによる配線が増すが、ベースバンド信号による供給ができるので、ノイズの少ない映像音声を視聴できる。
【産業上の利用可能性】
【００７４】
以上の如く本発明は、デジタル放送信号をアナログ放送信号に変換することができる安価なデジタル放送受信装置である。このデジタル放送受信装置を用いることにより、従来のアナログ受信用テレビ受像機であっても、安定した受信状態でデジタル放送信号を視聴できる。
【図面の簡単な説明】
【００７５】
【図１】本発明の実施形態１におけるデジタル放送受信装置のブロック図
【図２】本発明の実施形態２におけるデジタル放送受信装置のブロック図
【図３】本発明の実施形態３におけるデジタル放送受信装置のブロック図
【図４】本発明の実施形態４におけるデジタル放送受信装置のブロック図
【符号の説明】
【００７６】
１  デジタル放送受信装置
２ａ  アンテナ入力端子
７  第１のデジタル用受信回路
８  第１のアナログ用送信回路
１０  出力端子
１１  第２のデジタル用受信回路
１２  第２のアナログ用送信回路
１４  出力端子
１５  第３のデジタル用受信回路
１６  第３のアナログ用送信回路
１８  出力端子
１９  第４のデジタル用受信回路
２０  第４のアナログ用送信回路
２２  出力端子
２４  分配器
２５  本体用制御部
【図１】
2008066917.tif 000003
【図２】
2008066917.tif 000004
【図３】
2008066917.tif 000005
【図４】
2008066917.tif 000006